(57)【特許請求の範囲】
【請求項１】
器具本体と、
器具本体にねじを介して取り付けられる第１反射板と、
前記第１反射板に取り付けられる第２反射板と、
前記第１反射板の前面側に配置される直管型ＬＥＤランプと、を備え、
前記第２反射板は、内部に空間が形成されるように下方に突出すると共に、前記第１反射板の長手方向に延在し、かつ外面が反射面である反射面部分と、前記反射面部分の、前記第１反射板の短手方向における両端部に設けられる一対の鍔部と、を有し、前記一対の鍔部の各々には爪部が設けられ、
前記第１反射板は、前記一対の爪部に対応する位置に設けられる一対の係合部と、前記器具本体にねじ込まれる前記ねじが挿入されるねじ孔と、を有し、
前記第２反射板は、前記第１反射板に取り付けられる際、前記一対の鍔部間の距離が小さくなるように弾性変形された状態で、前記爪部が前記係合部に係合され、前記爪部が前記係合部に係合された状態では、前記第２反射板の前記一対の鍔部の各々の一部は、前記ねじの頭部を覆うねじ被覆部となる照明器具。
【請求項２】
請求項１に記載の照明器具において、
前記ねじ被覆部は、前記ねじの前記頭部に当接する照明器具。
【請求項３】
請求項１または請求項２に記載の照明器具において、
前記ねじ被覆部が、前記ねじの前記頭部を全体的または部分的に覆う照明器具。
【発明の詳細な説明】
【技術分野】
【０００１】
本発明は、例えばＬＥＤユニットを有する直管型ＬＥＤランプを光源として天井面に設置される照明器具に関する。
【背景技術】
【０００２】
従来より、ねじが器具本体にねじ込まれることにより、反射板が器具本体に取り付けられる照明器具が知られている（例えば、特許文献１参照）。
特許文献１に記載の照明器具は、部品点数の削減と製造コストを低減できる。
【先行技術文献】
【特許文献】
【０００３】
【特許文献１】特開２００７−３５６０３号公報（図２、段落００３８）
【発明の概要】
【発明が解決しようとする課題】
【０００４】
しかし、特許文献１に記載の照明器具は、ねじが反射板の下面に露出して配置される。
従って、特許文献１に記載の照明器具は、意匠面が良好ではないとともに、ねじに大きな緩みが生じた際に下方に自然に落下することがある。
【０００５】
本発明は、前述した課題を解決するためになされたものであり、その目的は、意匠面を良好にでき、ねじの落下を防止できる照明器具を提供することにある。
【課題を解決するための手段】
【０００６】
本発明に係る照明器具は、器具本体と、器具本体にねじを介して取り付けられる第１反射板と、前記第１反射板に取り付けられる第２反射板と、前記第１反射板の前面側に配置される直管型ＬＥＤランプと、を備え、前記第２反射板は、内部に空間が形成されるように下方に突出すると共に、前記第１反射板の長手方向に延在し、かつ外面が反射面である反射面部分と、前記反射面部分の、前記第１反射板の短手方向における両端部に設けられる一対の鍔部と、を有し、前記一対の鍔部の各々には爪部が設けられ、前記第１反射板は、前記一対の爪部に対応する位置に設けられる一対の係合部と、前記器具本体にねじ込まれる前記ねじが挿入されるねじ孔と、を有し、前記第２反射板は、前記第１反射板に取り付けられる際、前記一対の鍔部間の距離が小さくなるように弾性変形された状態で、前記爪部が前記係合部に係合され、前記爪部が前記係合部に係合された状態では、前記第２反射板の前記一対の鍔部の各々の一部は、前記ねじの頭部を覆うねじ被覆部となる。
【０００７】
本発明に係る照明器具は、前記ねじ被覆部が、前記ねじの前記頭部に当接する
【０００８】
本発明に係る照明器具は、前記ねじ被覆部が、前記ねじの前記頭部を全体的または部分的に覆う。
【発明の効果】
【０００９】
本発明に係る照明器具によれば、意匠面を良好にでき、ねじの落下を防止できるという効果を奏する。
【図面の簡単な説明】
【００１０】
【図１】本発明に係る第１実施形態の照明器具の斜め下方から視た分解斜視図
【図２】本発明に係る第１実施形態の照明器具の第２反射板と第１反射板との取付関係を説明する分解斜視図
【図３】本発明に係る第１実施形態の照明器具の第１反射板の斜め下方から視た外観斜視図
【図４】本発明に係る第１実施形態の照明器具の第２反射板の第１反射板への取付状態の斜め下方から視た外観斜視図
【図５】本発明に係る第１実施形態の照明器具の垂直断面図
【図６】本発明に係る第２実施形態の照明器具の第１反射板の斜め下方から視た外観斜視図
【図７】本発明に係る第２実施形態の照明器具の第２反射板の第１反射板への取付状態の斜め下方から視た外観斜視図
【図８】本発明に係る第２実施形態の照明器具の垂直断面図
【図９】本発明に係る第３実施形態の照明器具の第２反射板の第１反射板への取付状態の斜め下方から視た外観斜視図
【図１０】本発明に係る第４実施形態の照明器具の第２反射板と第１反射板との取付関係を説明する分解斜視図
【発明を実施するための形態】
【００１１】
以下、本発明に係る複数の実施形態の照明器具について図面を参照して説明する。
（第１実施形態）
図１に示すように、本発明に係る第１実施形態の照明器具１０は、不図示の天井面に設置されている不図示の既存の器具本体と、この器具本体にねじ１２を介して取り付けられる第１反射板１１とを備える。
また、照明器具１０は、第１反射板１１に取り付けられる被覆部材である第２反射板１３と、第１反射板１１の前面に配置される直管型ＬＥＤランプ１４とを備える。
照明器具１０は、天井面に設置されるベースライトに適用される。
【００１２】
第１反射板１１は、厚みの薄い金属製板部材や樹脂製板部材により成形されており、天板１５の周囲に反射面１６を有する。
第１反射板１１は、天板１５の一端部に単一の給電側ソケット台１７を介して一対の第１給電側ソケット１８および第２給電側ソケット１９が取り付けられている。
第１反射板１１は、天板１５の他端部に単一の接地側ソケット台２０を介して一対の第１接地側ソケット２１および第２接地側ソケット２２が取り付けられている。
【００１３】
第１反射板１１は、第１給電側ソケット１８および第２給電側ソケット１９と、第１接地側ソケット２１および第２接地側ソケット２２とに、一対の直管型ＬＥＤランプ１４が電気的に接続されて機械的に取り付けられる。
第１反射板１１は、天板１５の下面に電源端子台２３と、電源ブロック２４とが取り付けられている。
電源端子台２３には、外部から引き込まれた配線２５および電源ブロック２４に接続される配線２６が電気的に接続される。
電源ブロック２４からは、第１給電側ソケット１８および第２給電側ソケット１９に電気的に接続される配線２７と、第１接地側ソケット２１および第２接地側ソケット２２に電気的に接続される配線２８とが引き出されている。
【００１４】
第２反射板１３は、垂直断面視がＶ字形状に形成されており、第１反射板１１の長手方向に長さを有する。
第２反射板１３は、Ｖ字形状の反射面２９を有し、短手方向の先端部に一対の鍔部３０を有し、鍔部３０の一部に鍔部３０を所定形状に切断した爪部３１を短手方向に突出して有する。
【００１５】
直管型ＬＥＤランプ１４は、断面がほぼ円形のガラス管３２の一端部の口金３３に、第１給電側ソケット１８および第２給電側ソケット１９内に収容されている不図示の一対の給電側端子受に電気的に接続される一対の給電側口金ピン３４をそれぞれ有する。
直管型ＬＥＤランプ１４は、ガラス管３２の他端部の口金３５に、第１接地側ソケット２１および第２接地側ソケット２２に収容されている不図示の接地側端子受に電気的に接続される単一の接地側口金ピン３６を有する。
【００１６】
直管型ＬＥＤランプ１４は、ガラス管３２内に、複数のＬＥＤ３７を第１反射板１１の長手方向に実装させたＬＥＤ基板３８を有するＬＥＤユニット３９を内蔵している。
直管型ＬＥＤランプ１４は、第１給電側ソケット１８および第２給電側ソケット１９から給電された直流電流が給電側口金ピン３４から接地側口金ピン３６を通じて第１接地側ソケット２１および第２接地側ソケット２２に流れる。
そして、直管型ＬＥＤランプ１４は、ＬＥＤ基板３８に有する不図示のプリント回路に直流電流が供給されてＬＥＤ３７が発光される。
直管型ＬＥＤランプ１４は、被照射対象に向けた照射範囲が全周に対して１／２ないし２／３である。
なお、直管型ＬＥＤランプ１４は、一端部の口金３３に一対の給電側口金ピン３４を有し、他端部の口金３５に単一の接地側口金ピン３６を有するものに限ることはない。
例えば、一端部の口金３３に３本の給電側口金ピン３４を有し、他端部の口金３５に２本の接地側口金ピン３６を有するものや、一端部の口金３３に２本の給電側口金ピン３４を有し、他端部の口金３５に２本の接地側口金ピン３６を有するものであってもよい。
【００１７】
図２に示すように、第１反射板１１は、平板状をなす天板１５の所定位置における短手方向に複数対のポケット形状に形成された係合部４０を有する。
第２反射板１３は、第１反射板１１に取り付けられるに際し、一対の鍔部３０の離間寸法を小さくするように弾性変形された状態で、爪部３１が係合部４０に差し込まれる。
これにより、第２反射板１３は、第１反射板１１の下面に配置されている電源端子台２３と電源ブロック２４と配線２５と配線２６と配線２７と配線２８とを覆って下方から直視されないように隠す。
【００１８】
図３に示すように、第１反射板１１は、天板１５において係合部４０の近傍にねじ孔４１を有する。ねじ孔４１には、器具本体にねじ込まれるねじ１２が挿入される。
図４に示すように、第２反射板１３は、鍔部３０において爪部３１の近傍にねじ被覆部４２を有する。
ねじ被覆部４２は、鍔部３０の端縁側に開口部４３を有し、底部にねじ１２の頭部４４を全体的に覆ってねじ１２の頭部４４に当接する底板４５を有する。
【００１９】
図５に示すように、第２反射板１３の爪部３１が第１反射板１１の係合部４０に差し込まれて、第２反射板１３が第１反射板１１に取り付けられることにより、第２反射板１３のねじ被覆部４２の底板４５がねじ１２の頭部４４の下方を全体的に覆う。
従って、頭部４４を含めて、ねじ１２が下方から直視されないために、意匠面で良好にできる。
そして、ねじ被覆部４２は、底板４５がねじ１２の頭部４４に当接する。
従って、ねじ１２の緩みを防止できる。
このとき、万が一に、ねじ１２に緩みが生じたとしても、ねじ被覆部４２がねじ１２の頭部４４を全体的に覆っているために、ねじ１２の下方への落下を防止できる。
【００２０】
以上、説明したように第１実施形態の照明器具１０によれば、第２反射板１３が第１反射板１１側を小さくするように変形されて、爪部３１を第１反射板１１の係合部４０に係合させることにより、第２反射板１３のねじ被覆部４２がねじ１２を覆う。
従って、第１実施形態の照明器具１０によれば、ねじ１２が下方から直視されないために、意匠面で良好にできる。
【００２１】
また、第１実施形態の照明器具１０によれば、第２反射板１３のねじ被覆部４２の底板４５がねじ１２の頭部４４に当接するために、ねじ１２の緩みを防止できる。
【００２２】
また、第１実施形態の照明器具１０によれば、第２反射板１３のねじ被覆部４２がねじ１２の頭部４４を全体的に覆うために、万が一に、ねじ１２に緩みが生じたとしても、ねじ１２の下方への落下を防止できる。
【００２３】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００２４】
図６に示すように、本発明に係る第２実施形態の照明器具５０は、第１反射板１１において、係合部４０の近傍のねじ孔４１がねじ収容部５１内に形成される。
ねじ収容部５１は、ねじ１２の頭部４４の外形よりも十分に大きい容積を有して形成されており、天板１５の面から上方に向けて突出している。
図７および図８に示すように、第２反射板５２は、第１実施形態のようなねじ被覆部４２を有しておらず、鍔部３０がねじ被覆部４２を兼用する。
第２反射板５２の爪部３１が第１反射板１１の係合部４０に差し込まれて、第２反射板５２が第１反射板１１に取り付けられることにより、第２反射板５２の鍔部３０がねじ１２の頭部４４の下方を全体的に覆う。
このとき、第２反射板５２の鍔部３０は、ねじ１２の頭部４４に当接せずに、頭部４４を覆うだけである。
【００２５】
第２実施形態の照明器具５０によれば、第２反射板５２が、ねじ被覆部等の突出部位を有さないために、製造を容易にでき、スマートな外観にできる。
【００２６】
（第３実施形態）
次に、本発明に係る第３実施形態の照明器具について説明する。
図９に示すように、本発明に係る第３実施形態の照明器具６０は、第２反射板６１が、鍔部３０において爪部３１の近傍にねじ１２の頭部４４のほぼ半分を覆うねじ被覆部６２を有する。
【００２７】
（第４実施形態）
次に、本発明に係る第４実施形態の照明器具について説明する。
図１０に示すように、本発明に係る第４実施形態の照明器具７０は、第２反射板７１が、コ字形状の反射面７２を有し、短手方向の先端部に一対の鍔部７３を有し、鍔部７３の一部に鍔部７３を所定形状に切断した爪部７４を短手方向に突出して有する。
【００２８】
なお、本発明の照明器具において第１反射板，直管型ＬＥＤランプ，電源端子台，電源ブロック等は、前述した各実施形態に限定されるものでなく、適宜な変形や改良等が可能である。
【符号の説明】
【００２９】
１０，５０，６０，７０  照明器具
１１  第１反射板（反射板）
１２  ねじ
１３，５２，６１，７１  第２反射板（被覆部材）
１４  直管型ＬＥＤランプ
３１  爪部
４０  係合部
４４  頭部
【図１】
0005810289.tif 000002
【図２】
0005810289.tif 000003
【図３】
0005810289.tif 000004
【図４】
0005810289.tif 000005
【図５】
0005810289.tif 000006
【図６】
0005810289.tif 000007
【図７】
0005810289.tif 000008
【図８】
0005810289.tif 000009
【図９】
0005810289.tif 000010
【図１０】
0005810289.tif 000011